(57)【特許請求の範囲】
【請求項１】
複数の圧縮されたデジタル映像信号が多重されて伝送される多重デジタル信号から一つのデジタル映像信号を分離する分離手段と、
この分離手段により分離された前記一つのデジタル映像信号からフレーム内符号化された開始及び終了部分を検出する検出手段と、
この検出手段により検出されたフレーム内符号化された部分をデコードするデコード手段と、
このデコード手段によりデコードされた映像信号を、表示領域が前記複数の圧縮されたデジタル映像信号に対応して複数個に分割された表示画面上の、対応する一つの領域に縮小して表示するように制御する表示制御手段と、
前記分離手段にて分離されるデジタル映像信号を他のデジタル映像信号に切り替える選択指令を出力する制御手段と、を備え、
前記制御手段は、前記検出手段にて前記フレーム内符号化された終了部分が検出され次第、前記分離手段に前記選択指令を出力することを特徴とするマルチ画面作成装置。
【請求項２】
複数の圧縮されたデジタル映像信号が多重されて伝送される多重デジタル信号からＮ個（２以上の整数）のデジタル映像信号を順次分離する分離手段と、
この分離手段により分離された前記Ｎ個のデジタル映像信号からフレーム内符号化された開始及び終了部分を検出する検出手段と、
この検出手段により検出されたＮ個のフレーム内符号化された部分を順次デコードするデコード手段と、
このデコード手段によりデコードされたＮ個の映像信号を、表示領域が前記複数の圧縮されたデジタル映像信号に対応して複数個に分割された表示画面上の、対応するＮ個の各領域にそれぞれ縮小して表示するように制御する表示制御手段と、
前記分離手段にて分離されるデジタル映像信号を他のデジタル映像信号に切り替える選択指令を出力する制御手段と、を備え、
前記制御手段は、前記検出手段にて前記フレーム内符号化された終了部分が検出され次第、前記分離手段に前記選択指令を出力することを特徴とするマルチ画面作成装置。
【請求項３】
前記デジタル映像信号はＭＰＥＧ規格に従って圧縮されてなる請求項１または２記載のマルチ画面作成装置。
【発明の詳細な説明】
【０００１】
【発明の属する技術分野】
本発明は、テレビジョン受像機等において、画面を複数に分割し、各々の領域に個別の映像を表示するマルチ画面を作成する装置に関し、特に、各個別の映像信号がＭＰＥＧ等で画像圧縮されたデジタル信号に用いて好適なマルチ画面作成装置に関する。
【０００２】
【従来の技術】
近年、開発されているデジタルテレビ放送などでは、一つの搬送波に複数の番組が多重されており、ある搬送波を復調すると、複数のデジタル映像信号が時分割多重された多重デジタル信号を得ることができる。
【０００３】
そして、この多重デジタル信号からある番組を視聴したい場合、希望する番組のデジタル映像信号を分離する。通常、デジタル映像信号は画像圧縮の国際標準であるＭＰＥＧ等の規格に基づいて画像圧縮されているため、前記分離したデジタル映像信号をＭＰＥＧ等のデコードを行った後、画像を表示する。
【０００４】
ところで、一つの画面を複数領域に分割し、上記多重デジタル信号から得た個別の映像を各々の領域に表示するいわゆるマルチ画面表示を行う場合、多重デジタル信号から複数のデジタル映像信号を分離し、各々独立してＭＰＥＧ等のデコードを行う必要がある。
【０００５】
【発明が解決しようとする課題】
例えば、４領域のマルチ画面を構成する場合、４系統の分離回路及びＭＰＥＧデコーダが必要となる。従って、多画面のマルチ画面を構成するには装置規模が大きくなると共にコストアップになるという問題があった。
【０００６】
本発明は、上記欠点を解消するものであり、装置規模が小さく且つコストアップとならないマルチ画面作成装置を提供するものである。
【０００７】
【課題を解決するための手段】
本願の第１発明は、複数の圧縮されたデジタル映像信号が多重されて伝送される多重デジタル信号から一つのデジタル映像信号を分離する分離手段と、この分離手段により分離された前記一つのデジタル映像信号からフレーム内符号化された開始及び終了部分を検出する検出手段と、この検出手段により検出されたフレーム内符号化された部分をデコードするデコード手段と、このデコード手段によりデコードされた映像信号を、表示領域が前記複数の圧縮されたデジタル映像信号に対応して複数個に分割された表示画面上の、対応する一つの領域に縮小して表示するように制御する表示制御手段と、前記分離手段にて分離されるデジタル映像信号を他のデジタル映像信号に切り替える選択指令を出力する制御手段と、を備え、前記制御手段は、前記検出手段にて前記フレーム内符号化された終了部分が検出され次第、前記分離手段に前記選択指令を出力することを特徴とする。
また、第２発明は、複数の圧縮されたデジタル映像信号が多重されて伝送される多重デジタル信号からＮ個（２以上の整数）のデジタル映像信号を順次分離する分離手段と、この分離手段により分離された前記Ｎ個のデジタル映像信号からフレーム内符号化された開始及び終了部分を検出する検出手段と、この検出手段により検出されたＮ個のフレーム内符号化された部分を順次デコードするデコード手段と、このデコード手段によりデコードされたＮ個の映像信号を、表示領域が前記複数の圧縮されたデジタル映像信号に対応して複数個に分割された表示画面上の、対応するＮ個の各領域にそれぞれ縮小して表示するように制御する表示制御手段と、前記分離手段にて分離されるデジタル映像信号を他のデジタル映像信号に切り替える選択指令を出力する制御手段と、を備え、前記制御手段は、前記検出手段にて前記フレーム内符号化された終了部分が検出され次第、前記分離手段に前記選択指令を出力することを特徴とする。
【０００８】
【発明の実施の形態】
以下、図面に従って本発明の実施の形態を説明する。まず、本発明の実施の形態の説明に先立ちＭＰＥＧの概要について説明する。
【０００９】
ＭＰＥＧの符号化には、動き補償予測、ＤＣＴ（離散コサイン変換）及び可変長符号化を採用しており、図１のフレーム構成に示す様に画像は時間軸予測モードによって、Ｉ（ｉｎｔｒａ−ｃｏｄｅｄ）ピクチャ、Ｐ（ｐｒｅｄｉｃｔｉｖｅ−ｃｏｄｅｄ）ピクチャ、Ｂ（ｂｉ−ｄｉｒｅｃｔｉｎａｌｌｙ  ｐｒｅｄｉｃｔｉｖｅ−ｃｏｄｅｄ）ピクチャの３種類に分類される。Ｉピクチャはフレーム内符号化画像であり、Ｐピクチャは時間的に前方のフレームから予測するフレーム間予測符号化画像であり、Ｂピクチャは前後フレームからのフレーム間予測符号化画像である。
【００１０】
また、ＭＰＥＧのデータ階層構造を図２に示す。下層から順に以下のように構成される。（ブロック層）
ブロックは、輝度または色差の隣接する８×８画素から構成され、ＤＣＴはこの単位で実行される。（マクロブロック層）
マクロブロックは、隣接する４個の輝度ブロックと、画面上で同じ位置にあたる２個の色差ブロックＣｂ、Ｃｒの計６個のブロックで構成される。（スライス層）
画像の走査順に連なる複数のマクロブロックで構成される。（ピクチャ層）
複数のスライスから構成され、１枚の画像を形成する。符号化される形式により前述のＩピクチャ、Ｐピクチャ、Ｂピクチャに分類される。（ＧＯＰ（グループオブピクチャ）層）
ＧＯＰは１または複数枚のＩピクチャと０または複数枚の非Ｉピクチャで構成される。（ビデオシーケンス層）
ビデオシーケンスは、画像サイズ、画像レートなどが同じ１または複数のＧＯＰから構成される。
【００１１】
次に、本発明に適用される多重デジタル信号の構造について図３に従って説明する。
この多重デジタル信号はＭＰＥＧトランスポートストリームと呼ばれるパケット構造をなしており、各８８バイトのパケットの先頭にはデータ識別のための３２ビットのパケットヘッダが付加される。このパケットヘッダのうち、先頭から１２ビット目〜２４ビット目までの１３ビットには、そのパケットの属性を表すＰＩＤ（Ｐａｃｋｅｔ  Ｉｄｅｎｔｉｆｉｅｒ）と称する識別データが付加されている。即ち、このＰＩＤを見れば
そのパケットがどの番組のものであるかがわかる。そして、この多重デジタル信号にはパケット単位で複数の番組が時分割多重されている。
【００１２】
次に、本発明におけるマルチ画面作成装置について図４に従って説明する。
ここでは、一つの搬送波にＡ〜Ｄの４つの番組が多重されており、この４つの番組を４分割のマルチ画面に表示する場合を例にとって説明する。
【００１３】
まず、入力端子１から入力される多重デジタル信号は分離回路２に供給される。分離回路２はマイクロコンピュータよりなる制御回路３からの番組選択指令に基づき希望する番組のデジタル信号を分離する。この分離回路２は前記各パケットヘッダのＰＩＤを見て所望の番組のパケットのみを分離して次段のＩピクチャ検出回路４に供給する。このＩピクチャ検出回路４はＭＰＥＧのデータ階層構造のうちピクチャ層の開始に着目する。即ち、各ピクチャ層の先頭には３２ビットの開始コードに続いてその終わりから１１ビット目〜１３ビット目の３ビットにピクチャタイプを示すコードが付加されており、これに基づいてＩピクチャを検出する。検出されたＩピクチャはデコード回路５へ供給され、ＭＰＥＧデコードされる。デコードされたデータはマルチ画面作成回路６に供給される。このマルチ画面作成回路６は入力されたＩピクチャの画素を１／４に間引く間引き回路及び画像メモリを有し、所定のアドレスを指定することにより表示装置７の分割された画面の各領域のうちの任意の表示位置に表示できる。
【００１４】
次に、上記装置の動作を説明する。
まず、制御回路３は分離回路２に対し、番組Ａを選択するよう指令を出す。分離回路２は多重デジタル信号の各パケットのＰＩＤを見て番組Ａのパケットのみを分離してＩピクチャ検出回路４に供給する。Ｉピクチャ検出回路４はＩピクチャを検出してデコード回路５へ出力し、ＭＰＥＧデコードが実行される。デコードされた１画面分のデータは１／４に画素が間引かれて画像メモリの所定領域に書き込まれ、表示装置７の画面上の左上の表示領域に表示される。
【００１５】
次に、前記Ｉピクチャ検出回路４は番組ＡのＩピクチャの終了（次のピクチャの先頭）を検出して終了検出信号を制御回路３へ送信する。制御回路３はこの終了検出信号を受信すると、分離回路２に対して番組Ｂを選択するように指令を出力する。
【００１６】
分離回路２は番組Ｂのパケットのみを分離してＩピクチャ検出回路４に出力する。そして、前述と同様の処理により表示画面上の右上に番組Ｂ画表示される。
以下、同様にして番組Ｃ、番組Ｄをそれぞれ表示画面上の左下及び右下に表示し、これらの動作を繰り返す。これにより、表示装置７上には４分割のマルチ画面画表示されることになる。
【００１７】
ここで、表示画面上の各分割領域の画像はフレーム間予測符号化画像であるＰピクチャやＢピクチャは使用せずにフレーム内符号化画像であるＩピクチャのみから再現しているため、動きは間欠的なものとなるが、マルチ画面を表示する目的は本来、各番組の内容をブラウジングすることであるので、各領域の映像は完全な動画像である必要はなくコマ送り的な画像であってもその内容がほぼ把握できれば初期の目的を達成することができる。
【００１８】
尚、デコード回路５は、本来デコード処理のために画像メモリを有しているため、このメモリを、マルチ画面作成回路６内に設けた画像メモリと兼用することもできる。即ち、通常動作（マルチ画面でない場合）ではデコードした画像データは画像メモリ全体に書き込まれるが、マルチ画面作成の際にはデータを間引いて一部の領域に書き込めばよい。マルチ画面作成時はフレーム内符号化画像であるＩピクチャのみをデコードするため、次のピクチャのデコードにはこの画像メモリの内容を参照する必要がないためデコード動作にはなんら支障は来さない。
【００１９】
また、デコード回路が有するピクチャタイプ判別機能を利用してＩピクチャの検出をデコード回路で行い、その検出出力を制御回路にフィードバックするようにしても良い。
【００２０】
【発明の効果】
上述の如く本発明によれば、マルチ画面を構成しても、複数の分離回路及びＭＰＥＧデコーダを必要とせず、それぞれ一系統で済むため、装置規模の増加やコストアップを抑えることができる。
【図面の簡単な説明】
【図１】ＭＰＥＧのフレーム構成を示す図である。
【図２】ＭＰＥＧのデータ階層構造を示す図である。
【図３】多重デジタル信号のパケット構造を示す図である。
【図４】本発明におけるマルチ画面作成装置のブロック図である。
【符号の説明】
２      分離回路
３      制御回路
４      Ｉピクチャ検出回路
５      デコード回路
６      マルチ画面作成回路
７      表示装置
【図１】
0003599860.tif 000002
【図２】
0003599860.tif 000003
【図３】
0003599860.tif 000004
【図４】
0003599860.tif 000005